【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
被写体像を撮影する撮影手段と、
この撮影手段での撮影に同期し、充電される電力により所定の充電状態以上で所定の輝度以上の閃光を発する補助光源と、
この補助光源の充電状態からの充電量を判断する判断手段と、
上記撮影手段での撮影に際し、上記判断手段で判断された充電量に応じて上記撮影手段の撮影感度を上げて上記補助光源を用いた撮影を実行させる撮影制御手段と
を具備したことを特徴とする撮像装置。
【請求項２】
上記撮影制御手段は、上記判断手段で判断された充電量に応じて上記撮影手段の撮影感度を上げるのに加えてシャッタ速度を変化させて上記補助光源を用いた撮影を実行することを特徴とする請求項１記載の撮像装置。
【請求項３】
上記撮影制御手段は、上記判断手段で判断された充電量及び被写体距離に応じて上記撮影手段の撮影感度を上げて上記補助光源を用いた撮影を実行することを特徴とする請求項１記載の撮像装置。
【請求項４】
上記判断手段は、補助光源の充電状態から所定の輝度以上の発光の可／不可を判断する手段を含み、
上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記撮影手段の撮影感度を最大感度に上げて上記補助光源を用いない撮影を実行させることを特徴とする請求項１記載の撮像装置。
【請求項５】
上記判断手段は、補助光源の充電状態から所定の輝度以上の発光の可／不可を判断する手段を含み、
上記撮影手段は、手振れ補正モードでの撮影に対応し、
上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記撮影手段を上記手振れ補正モードに設定すると共にシャッタ速度を変化させて上記補助光源を用いない撮影を実行させることを特徴とする請求項１記載の撮像装置。
【請求項６】
上記撮影制御手段は、上記判断手段で発光不可であると判断された場合に、上記撮影手段を上記手振れ補正モードに設定すると共に、シャッタ速度を変化させるのに加えて上記撮影手段の撮影感度を最大感度に上げて上記補助光源を用いない撮影を実行させることを特徴とする請求項５記載の撮像装置。
【請求項７】
上記判断手段は、補助光源の充電状態から所定の輝度以上の発光の可／不可を判断する手段を含み、
上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記補助光源以外の要素を高感度化設定した上で上記補助光源を用いない撮影を実行させることを特徴とする請求項１記載の撮像装置。
【請求項８】
上記撮影制御手段は、上記補助光源の充電段階に応じた上記撮影手段の撮影感度の上昇分を予め記憶したルックアップテーブルを用いることを特徴とする請求項１記載の撮像装置。
【請求項９】
上記撮影制御手段は、隣接する画素の情報を加算する画素加算方式により撮影感度を上げることを特徴とする請求項１記載の撮像装置。
【請求項１０】
上記撮影制御手段は、時間的に連続した複数回の露光により上記撮影手段で得られる複数の画像データを同一画素単位で加算する画像加算を実行させることで感度を上げた画像データを得ることを特徴とする請求項１記載の撮像装置。
【請求項１１】
被写体像を撮影する撮影部と、この撮影部での撮影に同期し、充電される電力により所定の充電状態以上で所定の輝度以上の閃光を発する補助光源とを備えた撮像装置での撮影方法であって、
上記補助光源の充電状態から充電量を判断する判断工程と、
上記撮影部での撮影に際し、上記判断工程で判断された充電量に応じて上記撮影部の撮影感度を上げて上記補助光源を用いた撮影を実行させる撮影制御工程と
を有したことを特徴とする撮影方法。
【請求項１２】
被写体像を撮影する撮影部と、この撮影部での撮影に同期し、充電される電力により所定の充電状態以上で所定の輝度以上の閃光を発する補助光源とを備えた撮像装置に内蔵されたコンピュータか実行するプログラムであって、
上記補助光源の充電状態から充電量を判断する判断ステップと、
上記撮影部での撮影に際し、上記判断ステップで判断された充電量に応じて上記撮影部の撮影感度を上げて上記補助光源を用いた撮影を実行させる撮影制御ステップと
をコンピュータに実行させることを特徴とするプログラム。
【手続補正２】
【補正対象書類名】明細書
【補正対象項目名】０００７
【補正方法】変更
【補正の内容】
【０００７】
請求項１記載の発明は、被写体像を撮影する撮影手段と、この撮影手段での撮影に同期し、充電される電力により所定の充電状態以上で所定の輝度以上の閃光を発する補助光源と、この補助光源の充電状態からの充電量を判断する判断手段と、上記撮影手段での撮影に際し、上記判断手段で判断された充電量に応じて上記撮影手段の撮影感度を上げて上記補助光源を用いた撮影を実行させる撮影制御手段とを具備したことを特徴とする。
【手続補正３】
【補正対象書類名】明細書
【補正対象項目名】０００８
【補正方法】変更
【補正の内容】
【０００８】
請求項２記載の発明は、上記請求項１記載の発明において、上記撮影制御手段は、上記判断手段で判断された充電量に応じて上記撮影手段の撮影感度を上げるのに加えてシャッタ速度を変化させて上記補助光源を用いた撮影を実行することを特徴とする。
請求項３記載の発明は、上記請求項１記載の発明において、上記撮影制御手段は、上記判断手段で判断された充電量及び被写体距離に応じて上記撮影手段の撮影感度を上げて上記補助光源を用いた撮影を実行することを特徴とする。
請求項４記載の発明は、上記請求項１記載の発明において、上記判断手段は、補助光源の充電状態から所定の輝度以上の発光の可／不可を判断する手段を含み、上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記撮影手段の撮影感度を最大感度に上げて上記補助光源を用いない撮影を実行させることを特徴とする。
【手続補正４】
【補正対象書類名】明細書
【補正対象項目名】０００９
【補正方法】変更
【補正の内容】
【０００９】
請求項５記載の発明は、上記請求項１記載の発明において、上記判断手段は、補助光源の充電状態から所定の輝度以上の発光の可／不可を判断する手段を含み、上記撮影手段は、手振れ補正モードでの撮影に対応し、上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記撮影手段を上記手振れ補正モードに設定すると共にシャッタ速度を変化させて上記補助光源を用いない撮影を実行させることを特徴とする。
請求項６記載の発明は、上記請求項５記載の発明において、上記撮影制御手段は、上記判断手段で発光不可であると判断された場合に、上記撮影手段を上記手振れ補正モードに設定すると共に、シャッタ速度を変化させるのに加えて上記撮影手段の撮影感度を最大感度に上げて上記補助光源を用いない撮影を実行させることを特徴とする。
【手続補正５】
【補正対象書類名】明細書
【補正対象項目名】００１０
【補正方法】変更
【補正の内容】
【００１０】
請求項７記載の発明は、上記請求項１記載の発明において、上記判断手段は、補助光源の充電状態から所定の輝度以上の発光の可／不可を判断する手段を含み、上記撮影制御手段は、上記判断手段で発光可であると判断された場合に、上記撮影手段の撮影感度を上記充電量に応じて上げて上記補助光源を用いた撮影を実行させ、上記判断手段で発光不可であると判断された場合に、上記補助光源以外の要素を高感度化設定した上で上記補助光源を用いない撮影を実行させることを特徴とする。
【手続補正６】
【補正対象書類名】明細書
【補正対象項目名】００１１
【補正方法】変更
【補正の内容】
【００１１】
請求項８記載の発明は、上記請求項１記載の発明において、上記撮影制御手段は、上記補助光源の充電段階に応じた上記撮影手段の撮影感度の上昇分を予め記憶したルックアップテーブルを用いることを特徴とする。
【手続補正７】
【補正対象書類名】明細書
【補正対象項目名】００１２
【補正方法】変更
【補正の内容】
【００１２】
請求項９記載の発明は、上記請求項１記載の発明において、上記撮影制御手段は、隣接する画素の情報を加算する画素加算方式により撮影感度を上げることを特徴とする。
【手続補正８】
【補正対象書類名】明細書
【補正対象項目名】００１３
【補正方法】変更
【補正の内容】
【００１３】
請求項１０記載の発明は、上記請求項１記載の発明において、上記撮影制御手段は、時間的に連続した複数回の露光により上記撮影手段で得られる複数の画像データを同一画素単位で加算する画像加算を実行させることで感度を上げた画像データを得ることを特徴とする。
【手続補正９】
【補正対象書類名】明細書
【補正対象項目名】００１４
【補正方法】変更
【補正の内容】
【００１４】
請求項１１記載の発明は、被写体像を撮影する撮影部と、この撮影部での撮影に同期し、充電される電力により所定の充電状態以上で所定の輝度以上の閃光を発する補助光源とを備えた撮像装置での撮影方法であって、上記補助光源の充電状態から充電量を判断する判断工程と、上記撮影部での撮影に際し、上記判断工程で判断された充電量に応じて上記撮影部の撮影感度を上げて上記補助光源を用いた撮影を実行させる撮影制御工程とを有したことを特徴とする。
【手続補正１０】
【補正対象書類名】明細書
【補正対象項目名】００１５
【補正方法】変更
【補正の内容】
【００１５】
請求項１２記載の発明は、被写体像を撮影する撮影部と、この撮影部での撮影に同期し、充電される電力により所定の充電状態以上で所定の輝度以上の閃光を発する補助光源とを備えた撮像装置に内蔵されたコンピュータか実行するプログラムであって、上記補助光源の充電状態から充電量を判断する判断ステップと、上記撮影部での撮影に際し、上記判断ステップで判断された充電量に応じて上記撮影部の撮影感度を上げて上記補助光源を用いた撮影を実行させる撮影制御ステップとをコンピュータに実行させることを特徴とする。
【手続補正１１】
【補正対象書類名】明細書
【補正対象項目名】００１６
【補正方法】変更
【補正の内容】
【００１６】
本発明によれば、補助光源であるストロボが満充電状態ではなくとも発光可能であればそれを判断し、即時撮影感度を高める設定を行なってストロボ発光を伴う撮影動作に移行できるため、シャッタチャンスを逃すことなく撮影を実行することが可能となる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】